(57)【要約】【課題】装置間通信システムにおいて、システムの機能が変更されたとき、システム自体の変更を最小限で済ます。【解決手段】装置間通信システムにおいて、通信電文の内容を、操作部材の属性を使用して構成し、また、通信電文を受信し解析する受信側装置において、操作部材機能変換テーブルと操作部材機能変換処理部を備え、受信した通信電文の操作部材情報を機能情報へ変換した事を特徴とする。【選択図】図１
2016029523.tif 000002
【特許請求の範囲】
【請求項１】
複数の装置間にて通信を行う装置間通信システムにおいて、
少なくとも１文字以上の操作部材名称を用いた通信電文と、前記通信電文を受信し解析する受信側装置において、操作部材機能変換テーブルと、操作部材機能変換処理部とを有することを特徴とする装置間通信システム。
【請求項２】
操作部材機能変換処理部は、操作部材機能変換テーブルにて、操作部材情報から機能情報へ変換することを特徴とする請求項１に記載の装置間通信システム。
【発明の詳細な説明】
【技術分野】
【０００１】
本発明は、装置間通信システムに関し、特に装置間通信時に情報のやりとりに用いられる通信電文に関するものである。
【背景技術】
【０００２】
従来、複数の装置（ＣＰＵ、マイクロプロセッサ等の装置機能を備えるものも含む）を用いた装置間通信システムにて、装置間で情報のやりとりに用いられる通信電文には、そのシステムがもつ機能に対して値を設定した内容が記述されている（特許文献１参照）。
【０００３】
図面３と図面４は、従来の装置間通信システムにて構成された特に送信と受信とに装置を分けたブロック図である。この図を用いて、従来の問題点を詳述する。
【０００４】
図面３において、送信装置(5)は、操作部材としてSW-1(51)とSW-2(52)を構成し内蔵している。操作部材SW-1(51)とSW-2(52)には、それぞれ機能Aと機能Bが割りつけられている。従来、通信電文(7)は操作部材に割り付けた機能に対する値にて構成されている。例えば、機能AがＯＮ、機能BがＯＦＦ等の情報である。通信電文(7)は送信装置(5)から受信装置(9)へ送信される。受信装置(9)は通信電文(7)の内容を解析し機能Aと機能Bの状態(91)を知る。
【０００５】
図面４は、図面３からシステムが持つ機能が変更になった場合のシステム構成を表している。機能Aが機能Cへ、機能Bが機能Dへ変更された場合である。送信装置(6)は操作部材としてSW-1(51)とSW-2(52)を構成し内蔵している。操作部材SW-1(51)とSW-2(52)には、それぞれ機能Cと機能Dが割りつけられている。図面３と同様に、従来、送信装置(6)は操作部材に割りつけられた機能Cと機能Dの状態を通信電文(8)に構成し、受信装置(10)へ送信する。受信装置(10)は、通信電文(8)の内容を解析し機能Cと機能Dの状態(101)を知る。
【０００６】
以上、まとめると、図面３から図面４へシステムが持つ機能が変更されると、まず、送信装置(5)と送信装置(6)が構成する操作部材に割り当てる機能の変更が必要である。機能A,と機能Bが機能Cと機能Dへ変更となる。また、その機能情報に依存する通信電文(7)と通信電文(8)も同じく、機能A,と機能Bが機能Cと機能Dへ変更する。最後に、受信装置(9,10)においても、変更された通信電文を解析可能な変更が必要である。
【０００７】
以上述べた様に、従来の装置間通信システムでは、機能変更に対応する度に、システム全体に変更作業が及んでしまう、その為、作業に要するコストと、システム完成後の動作を検証するコストなど、多大なコストが必要であった。
【先行技術文献】
【特許文献】
【０００８】
【特許文献１】特開２００７−３６６４７号公報
【発明の概要】
【発明が解決しようとする課題】
【０００９】
従来技術では、システムの機能が変更される度に、通信電文が機能に対して記述されている為、システム全体に変更作業が及び、この為、変更に対応する為の製作コストや、検証コストが多大に必要となる問題があった。
【００１０】
そこで、本発明の目的は、装置間通信システムにおいて、システムの機能が変更されても、その変更に対する作業がシステム全体に影響を及ぼさず、最小限の変更のみで済ます事を可能にした装置間通信システムを提供することである。
【課題を解決するための手段】
【００１１】
上記目的を達成するために、本発明は、装置間通信における通信電文を操作部材の属性に対して記述したものにて構成する。また、通信電文を受信する側、すなはち、通信電文を解釈する装置にて、操作部材機能変換テーブルと、通信電文に記述された操作部材情報を機能情報へ変換する操作部材機能変換処理部を持つ事を特徴とする。
【発明の効果】
【００１２】
本発明によれば、装置間通信システムにおいて、システムの機能が変更された時でも、通信電文は、そのまま流用できる為、変更作業がシステム全体に影響を及ぼさず、システム変更に要するコストを最小限にとどめる事ができる。
【図面の簡単な説明】
【００１３】
【図１】実施例1の装置間通信システムを示す図である。
【図２】実施例２の装置間通信システムを示す図である。
【図３】従来の装置間通信システム１を示す図である。
【図４】従来の装置間通信システム２を示す図である。
【発明を実施するための形態】
【００１４】
以下に、本発明の好ましい実施の形態を、添付の図面に基づいて詳細に説明する。
【００１５】
［実施例１］
図面１は、送信装置から通信電文を送信し、受信装置にて、その通信電文を受信し、解析する装置間通信システムを例にして、本発明の実施形態を示したシステム図である。
【００１６】
図面１において、1は操作部材SW-1(11)と操部材SW-2(12)とを構成し、内蔵した送信装置(1)である。2は後述する操作部材機能変換テーブルを内蔵した受信装置(2)である。受信装置(2)の操作部材機能変換テーブルには、送信装置(1)に内蔵しているSW-1(11)に対応した機能Aと、SW-2(12)に対応した機能Bとが組になり格納されている。通信電文(3)は送信装置(1)から受信装置(2)へ送信する通信データである。この通信データは、送信装置(1)が内蔵している操作部材SW-1(11）とSW-2(12)のON/OFF状態にて構成される。
【００１７】
図面２において、1は図面１と同じく、操作部材SW-1(11)と操部材SW-2(12)とを構成し、内蔵した送信装置(1)である。4は図面１の受信装置(2)と同じく操作部材機能変換テーブルを内蔵した受信装置(4)である。受信装置(4)には、受信装置(2)とは違い、送信装置(１)に内蔵しているSW-1(11)に対応した機能Cと、SW-2(12)に対応した機能Dとが格納されている。通信電文(3)は送信装置(1)から受信装置(2)へ送信する通信データである。この通信データは、送信装置(1)が内蔵している操作部材SW-1(11）とSW-2(12)のON/OFF状態にて構成される。
【００１８】
以下、本発明の実施の形態を図面１、図面２参照しながら詳述する。
【００１９】
図面１において、送信装置(1)にて操作部材SW-1(11)、SW-2(12)の変化は、通信電文(3)へ反映され受信装置(2)へ送信される。受信装置(2)では受信した通信電文(3)の操作部材の変化を操作部材機能変換テーブルに照らし合わせ、操作部材機能変換処理部(23)が操作部材の内容を機能情報へと変換し、結果として、機能情報の変化(22)が生成される。
【００２０】
図面２は図面１から機能が変更された場合を表している。図面２において、送信装置(1)にて操作部材SW-1(11)やSW-2(12）の変化は図面１と同じく通信電文(3)へ反映され受信装置(2)へ送信される。受信装置(2)では通信電文(3)の操作部材の変化を操作部材機能変換テーブルに照らし合わせ、操作部材の変化を機能情報の変化へ操作部材機能変換処理部(43)が変換する。結果として機能情報の変化(42)が生成される。
【００２１】
上述した通り、図面１から図面２への機能の変化があったにも関わらず、送信装置(1)と通信電文(3)は同じで、変更する必要が無く、変更内容は受信装置の操作部材機能変換テーブルのみに限られる、この為、大幅にコストの削減が可能であるという効果を有する。
【００２２】
以上、本発明の好ましい実施形態について説明したが、本発明はこれらの実施形態に限定されず、その要旨の範囲内で種々の変形及び変更が可能である。
【符号の説明】
【００２３】
1  送信装置、11  物理スイッチSW-1、12  物理スイッチSW-2、2  受信装置、
21  物理機能ＡＢ変換テーブル、22  機能AB状態結果、3  通信電文、
31  通信電文SW1状態、32  通信電文SW2状態、4  受信装置、
41  物理機能ＣＤ変換テーブル、42  機能AB状態結果、5  送信装置、
51  物理スイッチSW-1、52  物理スイッチSW-2、6  送信装置、61  物理スイッチSW-1、
62  物理スイッチSW-2、9  受信装置、10  受信装置
【図１】
2016029523.tif 000003
【図２】
2016029523.tif 000004
【図３】
2016029523.tif 000005
【図４】
2016029523.tif 000006